(57)【特許請求の範囲】
【請求項１】
たて杭を所定間隔で打ち込み、これに所定高さの縦横格子状の金網を張って構成された防鹿柵部と、この防鹿柵部における河川や道路などの開口部には、河川や道路などに沿って切り返しをつけて構成された鹿侵入防止誘導路において、鹿侵入防止誘導路から侵入してきた鹿の位置や侵入度合いを赤外線センサーで認識し、侵入した鹿の侵入位置や侵入度合いに応じて音や光を発し追い返し、音や光を複数のパターンを組み合わせることにより、鹿の音や光に対する馴致を防ぎ、連続的な音を認識した時、音や光を発さないよう構成されていることを特徴とする鹿侵入防止誘導路付帯防鹿柵。
【請求項２】
防鹿柵部（２）と、鹿侵入認識用赤外線センサー（３）と、鹿威嚇用ライト（４）と、音声を発するスピーカー（５）と、車両認識用マイクまたは速度認識用センサー（６）から構成され、
防鹿柵部（２）は、防鹿柵本体（２Ａ）と鹿侵入防止誘導路（２Ｂ）から構成され、防鹿柵本体（２Ａ）は、たて杭（２Ａ１）を所定間隔で打ち込み、これに縦横格子状の所定高さの金網（２Ａ２）を張って構成され、鹿侵入防止誘導路（２Ｂ）は、防鹿柵本体（２Ａ）における道路（８）や河川（９）などに対応すべき開口部（８Ａ、９Ａ）に、当該河川や道路などに沿って連設された左方の切返し用防鹿柵（２Ｂ１）と右方の切返し用防鹿柵（２Ｂ２）で構成され、これら切返し用防鹿柵（２Ｂ１、２Ｂ２）は、たて杭（２Ｂ１１、２Ｂ２１）を所定間隔で打ち込み、これに縦横格子状の所定高さの金網（２Ｂ１２、２Ｂ２２）を張って構成され、
鹿侵入認識用赤外線センサー（３）は、鹿侵入防止誘導路（２Ｂ）における始端から終端に向かって所定間隔で配設された左方の鹿用赤外線センサー群（３Ａ）と、右方の鹿用赤外線センサー群（３Ｂ）から構成され、左方の鹿用赤外線センサー群（３Ａ）は、鹿侵入防止誘導路（２Ｂ）における左方の切返し用防鹿柵（２Ｂ１）に沿って当該左方の切返し用防鹿柵における始端側位置のレベル１用左方赤外線センサー単体（３Ａ１）、中央位置のレベル２用左方赤外線センサー単体（３Ａ２）、終端側位置のレベル３用左方赤外線センサー単体（３Ａ３）で構成され、右方の鹿用赤外線センサー群（３Ｂ）は、鹿侵入防止誘導路（２Ｂ）における右方の切返し用防鹿柵（２Ｂ２）に沿って当該右方の切返し用防鹿柵における始端側位置のレベル１用右方赤外線センサー単体（３Ｂ１）、中央位置のレベル２用右方赤外線センサー単体（３Ｂ２）、終端側位置のレベル３用右方赤外線センサー単体（３Ｂ３）で構成され、左方の鹿用赤外線センサー群（３Ａ）における各赤外線センサー単体は、左方切返し用防鹿柵に沿って植設されたポール（Ｐ）に、鹿侵入防止誘導路（２Ｂ）内に向け作用するよう取付けられ、右方の鹿用赤外線センサー群（３Ｂ）における各赤外線センサー単体は、右方切返し用防鹿柵に沿って植設されたポール（Ｐ）に、鹿侵入防止誘導路（２Ｂ）内に向け作用するよう取付けられ、
鹿威嚇用ライト（４）は、左方の威嚇用ライト群（４Ａ）と右方の威嚇用ライト群（４Ｂ）で構成され、左方の威嚇用ライト群（４Ａ）は、左方の切返し用防鹿柵（２Ｂ１）の終端近傍に植設されたポール（Ｐ）に取付けられた上方の左威嚇用ライト（４Ａ１）、中央の左威嚇用ライト（４Ａ２）、下方の左威嚇用ライト（４Ａ３）から構成され、上方の左威嚇用ライト（４Ａ１）は、レベル３用右方赤外線センサー単体（３Ｂ３）に、中央の左威嚇用ライト（４Ａ２）は、レベル２用右方赤外線センサー単体（３Ｂ２）に、下方の左威嚇用ライト（４Ａ３）は、レベル１用右方赤外線センサー単体（３Ｂ１）にそれぞれ対応するよう構成され、右方の威嚇用ライト群（４Ｂ）は、右方の切返し用防鹿柵（２Ｂ２）の終端近傍に植設されたポール（Ｐ）に取付けられた上方の右威嚇用ライト（４Ｂ１）、中央の右威嚇用ライト（４Ｂ２）、下方の右威嚇用ライト（４Ｂ３）から構成され、上方の右威嚇用ライト（４Ｂ１）は、レベル３用左方赤外線センサー単体（３Ａ３）に、中央の右威嚇用ライト（４Ｂ２）は、レベル２用左方赤外線センサー単体（３Ａ２）に、下方の右威嚇用ライト（４Ｂ３）は、レベル１用左方赤外線センサー単体（３Ａ１）にそれぞれ対応するよう構成され、
音声を発するスピーカー（５）は、鹿侵入防止誘導路（２Ｂ）における終端側の外部に配設され、車両認識用マイクまたは速度認識用センサー（６）は、鹿侵入防止誘導路（２Ｂ）の側方に配設され、鹿侵入認識用赤外線センサー（３）と、鹿威嚇用ライト（４）と、音声を発するスピーカー（５）と、車両認識用マイクまたは速度認識用センサー（６）などは、これらを制御する制御盤（７）に連結されていることを特徴とする鹿侵入防止誘導路付帯防鹿柵。
【発明の詳細な説明】
【０００１】
【発明の属する技術分野】
本発明は、鹿侵入防止誘導路付帯防鹿柵に関するものである。
この結果、鹿が農地に侵入し農作物に被害を与えるのを防ぐことができるものである。
【０００２】
【従来の技術】
従来、集落全体を守るように金網を相当距離に施設し鹿の侵入を防いでいる。金網自体は鹿の侵入に対し極めて有効であり、１件の農家の畑を金網で囲う場合は、鹿の侵入を完全に防止できる。
【０００３】
【発明が解決しようとする課題】
従来の技術で述べたものにあっては、下記のような問題点を有していた。
Ａ．集落全体をまとめて守るために金網を施設する場合は、金網が河川や道路を横断する個所が必ず生じる。
この場合、河川や道路は管理上門扉などの施設の利用が認められず、また、これら開口部からの鹿の侵入を効果的に防止する方法がないため、現状では開口部はそのまま特に対策を講じていない。
当然ここから鹿の侵入があり、効果的な対策が待たれていた。
Ｂ．たて杭を５〜１０ｍ間隔で打ち込み、これに縦横格子状の高さ約２ｍの金網を張ると、鹿の侵入はほぼ食い止められる。
しかし、河川や道路は柵や門扉を施工できない。
Ｃ．河川は暴風雨の時に河川に障害物があると、上流から流れてきた流木などがからみ、河川をせき止め大きな被害になる可能性があるので、河川管理者は防鹿柵が河川を横断することを認めない。
Ｄ．道路も門扉をつければ鹿の侵入を防げるが、国道・県道・道道などに門扉をつけるのは道路管理者が許さない。
結局、河川や道路などの開口部は対策の施しようがなく、実際鹿も侵入している。
【０００４】
本発明は、従来の技術の有するこのような問題点に鑑みなされたものであり、その目的とするところは、次のようなことのできるものを提供しようとするものである。
本発明は、道路や河川を門扉などで塞ぐことなく、光や音で侵入を防ぎ、金網と合わせて鹿１４の侵入を効果的に防止しようとするものである。
【０００５】
【課題を解決するための手段】
上記目的を達成するために、本発明は下記のようになるものである。
１．請求項１記載の発明は、たて杭を所定間隔で打ち込み、これに所定高さの縦横格子状の金網を張って構成された防鹿柵部と、この防鹿柵部における河川や道路などの開口部には、河川や道路などに沿って切り返しをつけて構成された鹿侵入防止誘導路において、鹿侵入防止誘導路から侵入してきた鹿の位置や侵入度合いを赤外線センサーで認識し、侵入した鹿の侵入位置や侵入度合いに応じて音や光を発し追い返し、音や光を複数のパターンを組み合わせることにより、鹿の音や光に対する馴致を防ぎ、連続的な音を認識した時、音や光を発さないよう構成されていることを特徴としている。
【０００６】
２．請求項２記載の発明は、防鹿柵部２と、鹿侵入認識用赤外線センサー３と、鹿威嚇用ライト４と、音声を発するスピーカー５と、車両認識用マイクまたは速度認識用センサー６から構成され、
Ａ．防鹿柵部２は、防鹿柵本体２Ａと鹿侵入防止誘導路２Ｂから構成され、防鹿柵本体２Ａは、たて杭２Ａ１を所定間隔で打ち込み、これに縦横格子状の所定高さの金網２Ａ２を張って構成され、鹿侵入防止誘導路２Ｂは、防鹿柵本体２Ａにおける道路８や河川９などに対応すべき開口部８Ａ、９Ａに、当該河川や道路などに沿って連設された左方の切返し用防鹿柵２Ｂ１と右方の切返し用防鹿柵２Ｂ２で構成され、これら切返し用防鹿柵２Ｂ１、２Ｂ２は、たて杭２Ｂ１１、２Ｂ２１を所定間隔で打ち込み、これに縦横格子状の所定高さの金網２Ｂ１２、２Ｂ２２を張って構成され、
Ｂ．鹿侵入認識用赤外線センサー３は、鹿侵入防止誘導路２Ｂにおける始端から終端に向かって所定間隔で配設された左方の鹿用赤外線センサー群３Ａと、右方の鹿用赤外線センサー群３Ｂから構成され、
左方の鹿用赤外線センサー群３Ａは、鹿侵入防止誘導路２Ｂにおける左方の切返し用防鹿柵２Ｂ１に沿って当該左方の切返し用防鹿柵における始端側位置のレベル１用左方赤外線センサー単体３Ａ１、中央位置のレベル２用左方赤外線センサー単体３Ａ２、終端側位置のレベル３用左方赤外線センサー単体３Ａ３で構成され、
右方の鹿用赤外線センサー群３Ｂは、鹿侵入防止誘導路２Ｂにおける右方の切返し用防鹿柵２Ｂ２に沿って当該右方の切返し用防鹿柵における始端側位置のレベル１用右方赤外線センサー単体３Ｂ１、中央位置のレベル２用右方赤外線センサー単体３Ｂ２、終端側位置のレベル３用右方赤外線センサー単体３Ｂ３で構成され、
左方の鹿用赤外線センサー群３Ａにおける各赤外線センサー単体は、左方切返し用防鹿柵に沿って植設されたポールＰに、鹿侵入防止誘導路２Ｂ内に向け作用するよう取付けられ、
右方の鹿用赤外線センサー群３Ｂにおける各赤外線センサー単体は、右方切返し用防鹿柵に沿って植設されたポールＰに、鹿侵入防止誘導路２Ｂ内に向け作用するよう取付けられ、
Ｃ．鹿威嚇用ライト４は、左方の威嚇用ライト群４Ａと右方の威嚇用ライト群４Ｂで構成され、
左方の威嚇用ライト群４Ａは、左方の切返し用防鹿柵２Ｂ１の終端近傍に植設されたポールＰに取付けられた上方の左威嚇用ライト４Ａ１、中央の左威嚇用ライト４Ａ２、下方の左威嚇用ライト４Ａ３から構成され、上方の左威嚇用ライト４Ａ１は、レベル３用右方赤外線センサー単体３Ｂ３に、中央の左威嚇用ライト４Ａ２は、レベル２用右方赤外線センサー単体３Ｂ２に、下方の左威嚇用ライト４Ａ３は、レベル１用右方赤外線センサー単体３Ｂ１にそれぞれ対応するよう構成され、
右方の威嚇用ライト群４Ｂは、右方の切返し用防鹿柵２Ｂ２の終端近傍に植設されたポールＰに取付けられた上方の右威嚇用ライト４Ｂ１、中央の右威嚇用ライト４Ｂ２、下方の右威嚇用ライト４Ｂ３から構成され、上方の右威嚇用ライト４Ｂ１は、レベル３用左方赤外線センサー単体３Ａ３に、中央の右威嚇用ライト４Ｂ２は、レベル２用左方赤外線センサー単体３Ａ２に、下方の右威嚇用ライト４Ｂ３は、レベル１用左方赤外線センサー単体３Ａ１にそれぞれ対応するよう構成され、
Ｄ．音声を発するスピーカー５は、鹿侵入防止誘導路２Ｂにおける終端側の外部に配設され、
Ｅ．車両認識用マイクまたは速度認識用センサー６は、鹿侵入防止誘導路２Ｂの側方に配設され、
Ｆ．鹿侵入認識用赤外線センサー３と、鹿威嚇用ライト４と、音声を発するスピーカー５と、車両認識用マイクまたは速度認識用センサー６などは、これらを制御する制御盤７に連結されていることを特徴としている。
【０００７】
【発明の実施の形態】
以下、本発明の実施の形態を実施例にもとづき図面を参照して説明する。
１は本発明の鹿侵入防止誘導路付帯防鹿柵で、防鹿柵部２と、鹿侵入認識用赤外線センサー３と、鹿威嚇用ライト４と、音声を発するスピーカー５と、車両認識用マイクまたは速度認識用センサー６から構成されている。
Ａ．防鹿柵部２は、防鹿柵本体２Ａと鹿侵入防止誘導路２Ｂから構成されている。
ａ．防鹿柵本体２Ａは、たて杭２Ａ１を所定間隔で打ち込み、これに縦横格子状の所定高さの金網２Ａ２を張って構成されている。
ｂ．鹿侵入防止誘導路２Ｂは、防鹿柵本体２Ａにおける道路８や河川９などに対応すべき開口部８Ａ、９Ａに、当該河川や道路などに沿って連設された左方の切返し用防鹿柵２Ｂ１と右方の切返し用防鹿柵２Ｂ２で構成されている。
これら切返し用防鹿柵２Ｂ１、２Ｂ２は、たて杭２Ｂ１１、２Ｂ２１を所定間隔で打ち込み、これに縦横格子状の所定高さの金網２Ｂ１２、２Ｂ２２を張って構成されている。
【０００８】
Ｂ．鹿侵入認識用赤外線センサー３は、鹿侵入防止誘導路２Ｂにおける始端から終端に向かって所定間隔で配設された左方の鹿用赤外線センサー群３Ａと、右方の鹿用赤外線センサー群３Ｂから構成されている。
ａ．左方の鹿用赤外線センサー群３Ａは、鹿侵入防止誘導路２Ｂにおける左方の切返し用防鹿柵２Ｂ１に沿って当該左方の切返し用防鹿柵における始端側位置のレベル１用左方赤外線センサー単体３Ａ１、中央位置のレベル２用左方赤外線センサー単体３Ａ２、終端側位置のレベル３用左方赤外線センサー単体３Ａ３で構成されている。
ｂ．右方の鹿用赤外線センサー群３Ｂは、鹿侵入防止誘導路２Ｂにおける右方の切返し用防鹿柵２Ｂ２に沿って当該右方の切返し用防鹿柵における始端側位置のレベル１用右方赤外線センサー単体３Ｂ１、中央位置のレベル２用右方赤外線センサー単体３Ｂ２、終端側位置のレベル３用右方赤外線センサー単体３Ｂ３で構成されている。
ｃ．左方の鹿用赤外線センサー群３Ａにおける各赤外線センサー単体は、左方切返し用防鹿柵に沿って植設されたポールＰに、鹿侵入防止誘導路２Ｂ内に向け作用するよう取付けられている。
ｄ．右方の鹿用赤外線センサー群３Ｂにおける各赤外線センサー単体は、右方切返し用防鹿柵に沿って植設されたポールＰに、鹿侵入防止誘導路２Ｂ内に向け作用するよう取付けられている。
【０００９】
Ｃ．鹿威嚇用ライト４は、左方の威嚇用ライト群４Ａと右方の威嚇用ライト群４Ｂで構成されている。
ａ．左方の威嚇用ライト群４Ａは、左方の切返し用防鹿柵２Ｂ１の終端近傍に植設されたポールＰに取付けられた上方の左威嚇用ライト４Ａ１、中央の左威嚇用ライト４Ａ２、下方の左威嚇用ライト４Ａ３から構成されている。
そして、上方の左威嚇用ライト４Ａ１は、レベル３用右方赤外線センサー単体３Ｂ３に、中央の左威嚇用ライト４Ａ２は、レベル２用右方赤外線センサー単体３Ｂ２に、下方の左威嚇用ライト４Ａ３は、レベル１用右方赤外線センサー単体３Ｂ１にそれぞれ対応するよう構成されている。
ｂ．右方の威嚇用ライト群４Ｂは、右方の切返し用防鹿柵２Ｂ２の終端近傍に植設されたポールＰに取付けられた上方の右威嚇用ライト４Ｂ１、中央の右威嚇用ライト４Ｂ２、下方の右威嚇用ライト４Ｂ３から構成されている。
そして、上方の右威嚇用ライト４Ｂ１は、レベル３用左方赤外線センサー単体３Ａ３に、中央の右威嚇用ライト４Ｂ２は、レベル２用左方赤外線センサー単体３Ａ２に、下方の右威嚇用ライト４Ｂ３は、レベル１用左方赤外線センサー単体３Ａ１にそれぞれ対応するよう構成されている。
【００１０】
Ｄ．音声を発するスピーカー５は、鹿侵入防止誘導路２Ｂにおける終端側の外部に配設されている。
Ｅ．車両認識用マイクまたは速度認識用センサー６は、鹿侵入防止誘導路２Ｂの側方に配設されている。
【００１１】
Ｆ．鹿侵入認識用赤外線センサー３と、鹿威嚇用ライト４と、音声を発するスピーカー５と、車両認識用マイクまたは速度認識用センサー６などは、これらを制御する制御盤７に連結されている。
図中、１０はアンプ、１１は電源、１２は音源、１３はスイッチである。
Ｇ．この制御盤７により下記のように作動するよう制御される。
ａ．鹿侵入防止誘導路には、複数の赤外線センサーを設置し、侵入した鹿の侵入位置や侵入度合いに応じて音や光を発し追い返す。
ｂ．マイクで音を拾い、一定レベルの音を認識している間は、鹿ではなく車両の侵入とみなし、威嚇に入らない。
【００１２】
【実施例】
さらに、以下のような条件で実験した結果、極めて良好な結果が得られた。
１．防鹿柵本体２Ａは、集落全体を守るように相当距離を施設する。
２．たて杭２Ａ１を５〜１０ｍ間隔で打ち込み、これに縦横格子状の高さ２ｍ程度の金網２Ａ２を張って構成されている。
３．切返し用防鹿柵２Ｂ１、２Ｂ２は、たて杭２Ｂ１１、２Ｂ２１を５〜１０ｍ間隔で打ち込み、これに縦横格子状の高さ２ｍ程度の金網２Ｂ１２、２Ｂ２２を張って構成されている。
４．赤外線センサーは、その有効範囲を重ねるように配置する。
例えば、６個の赤外線センサーを使えば、その組合わせで２３のエリアに区分できる。
５．鹿を認識した時は、そのエリアの光を点滅し、音声Ａを発して威嚇する。
６．鹿を認識している間は、音声Ａを発する。
７．鹿がエリアを変えた時は、その瞬間に音声Ｂを発する。
８．鹿が侵入度合いを上げた時は、音量を上げるなど威嚇効果を上げる。
【００１３】
【発明の効果】
本発明は、上述の通り構成されているので次に記載する効果を奏する。
１．音や光だけで鹿の畑への侵入を防ぐことはできない。逆に金網では道路を塞げない。この点、本発明のものは、音や光と柵の組合わせで効果的な侵入防止を図ると共に、鹿が馴致することにより効果が落ちるのも防ぐことができる。
２．鹿の侵入場所や侵入度合いなど鹿の動きに応じて音や光が変化するよう構成されているので、鹿に自分の動きに応じて反応してくる、自分が狙われていると、感じさせることができる。
３．マイクで音を拾い、一定音量の音声を一定時間連続して拾った場合は車両とみなす、あるいは侵入物体の侵入速度が一定以上なら車両とみなし、車両の侵入では反応せず、鹿が侵入したときだけ反応させることができる。
４．一定の幅と長さがある鹿侵入防止誘導路を設け、これに複数の赤外線センサーを設けることにより、鹿の侵入個所・侵入レベルを認識することができ、鹿の動きに応じて音や光を変化させることができる。
この結果、河川を塞ぐことなく、鹿の侵入を防ぐことができ、道路を閉じることなく、鹿の侵入を防ぐことができる。
【図面の簡単な説明】
【図１】道路を中心にした防鹿柵本体と鹿侵入防止誘導路の状態を示す略図的平面図である。
【図２】河川を中心にした防鹿柵本体と鹿侵入防止誘導路の状態を示す略図的平面図である。
【図３】鹿侵入認識用赤外線センサーを中心にした構成を示す略図的平面図である。
【図４】鹿威嚇用ライトを中心にした構成を示す略図的平面図である。
【図５】鹿侵入認識用赤外線センサーの略図的正面図である。
【図６】同上の平面図である。
【図７】鹿威嚇用ライトの略図的正面図である。
【図８】同上の平面図である。
【図９】制御盤、スピーカー、車両認識用マイクまたは速度認識用センサーなどの配置例を説明する略図的正面図である。
【図１０】同上の略図的平面図である。
【図１１】本発明のものの構成図である。
【符号の説明】
１  鹿侵入防止誘導路付帯防鹿柵
２  防鹿柵部
３  鹿侵入認識用赤外線センサー
４  鹿威嚇用ライト
５  音声を発するスピーカー
６  車両認識用マイクまたは速度認識用センサー
【図１】
0003574605.tif 000002
【図２】
0003574605.tif 000003
【図３】
0003574605.tif 000004
【図４】
0003574605.tif 000005
【図５】
0003574605.tif 000006
【図６】
0003574605.tif 000007
【図７】
0003574605.tif 000008
【図８】
0003574605.tif 000009
【図９】
0003574605.tif 000010
【図１０】
0003574605.tif 000011
【図１１】
0003574605.tif 000012